(57)【要約】【課題】部品点数を減らしつつ、使い勝手のよい携帯用品スタンドを提供する。【解決手段】スマートフォン専用スタンド１０は、可撓性を有する１枚の本体板２３を曲げ加工することで背板部２と底板部３とが形成されており、このうち、背板部２には、スマートフォン２０の裏面部を支持可能な吸着ラバー５が設けられている。そして、本体板２３は、ユーザが力を加えることで背板部２と底板部３との角度が調節可能な厚みを有している。【選択図】図１
0003178323.tif 000002
【実用新案登録請求の範囲】
【請求項１】
可撓性を有する１枚の本体板を曲げ加工することで背板部と底板部とが形成されており、前記背板部には、携帯用品の面部を支持可能な吸着ラバーが設けられ、
前記本体板は、ユーザが力を加えることで背板部と底板部との角度が調節可能な厚み有することを特徴とする携帯用品スタンド。
【請求項２】
前記本体板は、素材がアルミニウムであり、厚みが０．５ｍｍ以上１．５ｍｍ以下であることを特徴とする請求項１に記載の携帯用品スタンド。
【請求項３】
前記底板部には、設置面を固定可能な粘着マットが設けられることを特徴とする請求項１または請求項２に記載の携帯用品スタンド。
【請求項４】
前記背板部の下端部には、前記携帯用品を下方から支持する支持部材が嵌合される孔部が穿設されていることを特徴とする請求項１ないし請求項３のいずれか１項に記載の携帯用品スタンド。
【請求項５】
前記携帯用品は、スマートフォンであり、
前記背板部の上端部には、前記スマートフォンのイヤホンジャックに嵌合されるプラグが装着されたストラップを取り付けるための取付部が後方に突設されていることを特徴とする請求項１ないし請求項４のいずれか１項に記載の携帯用品スタンド。
【考案の詳細な説明】
【技術分野】
【０００１】  本考案は、スマートフォンや携帯電話機などの携帯端末や懐中時計や貴金属などの身の回り品を置いたり展示したりするための携帯用品スタンドに関する。
【背景技術】
【０００２】  従来、この種の携帯用品スタンドとして、携帯端末が載置される載置部と、載置部を回動可能に支持する支持台とからなり、載置部に、携帯端末の裏側の面部を支持可能なシリコンゴムが設けられた携帯端末機用スタンドが知られている（例えば、特許文献１参照）。
【先行技術文献】
【特許文献】
【０００３】
【特許文献１】特開２０１０−４５０８号公報
【考案の概要】
【考案が解決しようとする課題】
【０００４】  しかしながら、特許文献１に記載の携帯端末機用スタンドは、載置部と、支持台とが別体に構成されており、さらに載置部を回動可能な機構が必要なため、部品点数を減らす余地が少なくともあった。【０００５】  本考案は、上記問題点を鑑みてなされたものであり、部品点数を減らしつつ、使い勝手のよい携帯用品スタンドの提供を目的とする。
【課題を解決するための手段】
【０００６】  上記目的を達成するためになされた考案である請求項１に記載の携帯用品スタンドは、可撓性を有する１枚の本体板を曲げ加工することで背板部と底板部とが形成されており、背板部には、携帯用品の面部を支持可能な吸着ラバーが設けられ、本体板が、ユーザによって力が加わることで背板部と底板部との角度が調節可能な厚みを有することを特徴とする。【０００７】  このように構成された携帯用品スタンドによれば、載置部に相当する背板部と、支持台に相当する底板部とが一体に形成されているため、部品点数を減らすことができ、これにより製造を容易にすることができる。【０００８】  しかも、背板部と底板部との境界部分を折り曲げたり延ばしたりする方向にユーザが力を加えることで、背板部と底板部との角度が調節され、これにより所望の角度でユーザに携帯用品を載置させることができる。【０００９】  従って、本発明によれば、部品点数を減らしつつ、使い勝手のより携帯用品スタンドを提供することができる。
なお、本体板は、可撓性を有する板であればよいが、例えば請求項２に記載のように、素材がアルミニウムであり、厚みが０．５ｍｍ以上１．５ｍｍ以下であると、適度の力によってユーザに背板部と底板部との角度を調節させることができ、なお且つ、例えば車両に設置した状態において、車両の振動による撓みを抑制することができる。【００１０】  また、底板部には、請求項３に記載のように、設置面を固定可能な粘着マットが設けられてもよい。この場合、粘着マットによって底板部が設置面に固定され、振動による携帯用品スタンドの転倒や落下などを抑制することができる。【００１１】  なお、粘着マットは、用途や設置面の状態に応じて使い分けることができる。例えば、振動がほとんどない場所に設置する場合には、繰り返し剥がして使用することが可能な素材（例えばスチレン樹脂等）からなるものを粘着マットとして採用し、車室内のダッシュボード上といった振動が比較的大きく、表面にわずかな凹凸がある場所に設置する場合には、両面テープ等の粘着力が比較的強いものを粘着マットとして採用すればよい。【００１２】  一方、吸着ラバーは、例えば携帯用品の面部を接触させるだけで吸着できる素材が採用され、例えばウレタンゴムに気泡が混入されてなる吸着素材のように、両面テープ等よりも容易に携帯用品を取り外すことができる素材が好ましい。また、吸着ラバーは、裏面が背板部に両面テープ等で貼り付けられる等、背板部からは容易に剥がれないようにしておくとよい。【００１３】  ところで、背板部の下端部には、請求項４に記載のように、携帯用品を下方から支持する支持部材が嵌合される孔部が穿設されていてもよい。
この場合、背板部の下端部に支持部材を別途取り付けることにより、携帯用品の載置位置が規定され、載置位置をユーザに迷わせなくてよくなる。また、下方から携帯用品が支持されるため、携帯用品スタンドにおいて携帯用品から受ける荷重が分散され、落下防止に寄与することができる。【００１４】  なお、携帯用品としては、例えば近年の所有率が増加中のスマートフォンが挙げられる。スマートフォンは、一般的に裏面が平面または微小な曲面であり、このような面部を吸着ラバーに接触させるだけで背板部に支持させることが可能となる。【００１５】  また、スマートフォンは、一般的に上面または上面付近にイヤホンジャックが設けられている。この点を鑑みると、背板部の上端部には、請求項５に記載のように、スマートフォンのイヤホンジャックに嵌合されるプラグが装着されたストラップを取り付けるための取付部が後方に突設されていてもよい。【００１６】  この場合、背板部の上端部において後方に突設された取付部にストラップを別途取り付ておくと、ストラップに装着されたプラグをスマートフォンに差し込むことにより、万が一、スマートフォンが吸着ラバーから剥がれ落ちた場合であっても、落下時の衝撃を抑制することができる。
【図面の簡単な説明】
【００１７】
【図１】（ａ）は、携帯用品の一例と携帯用品スタンドの一例とを個別に示す前方から見た斜視図であり、（ｂ）は、携帯用品が載置された携帯用品スタンドの一例を示す前方から見た斜視図である。
【図２】（ａ）は、携帯用品スタンドの一例を示す後方から見た斜視図であり、（ｂ）は、スマートフォンのイヤホンジャックにプラグが差し込まれる態様を示す説明図である。
【考案を実施するための形態】
【００１８】  以下に、本考案が適用された実施形態の携帯用品スタンドとしてのスマートフォン専用スタンドについて説明する。
図１（ａ）に示すように、スマートフォン専用スタンド１０は、スマートフォン２０を載置するための専用スタンドであって、背板部２と、底面部３とを備えて構成されている。
【００１９】  背板部２および底面部３は、可撓性を有する１枚の本体板２３を曲げ加工することで形成されており、背板部２と底面部３との境界部分には、湾曲部１１が形成されている。
本体板２３は、例えば素材がアルミニウムであり、ユーザによって湾曲部１１の上下方向に力が加わることで背板部２と底板部３との角度が調節可能な厚みを有している。本体板２３の厚みは、例えば１０ｍｍに設定されている。
【００２０】  背板部２の表面には、スマートフォン２０の裏面（表示面に対向する面）部を支持可能な吸着ラバー５が両面テープ等で貼り付けされている。具体的には、矩形状の吸着ラバー５が斜め方向に予め切断されており、この２片の吸着ラバー５の切断部に沿って間隙が形成されるように貼り付けされている。
【００２１】  吸着ラバー５は、スマートフォン２０の裏面部を接触させるだけで吸着できる素材が採用されており、例えばウレタンゴムに気泡が混入されてなる吸着素材のように、両面テープ等よりも容易にスマートフォン２０を取り外すことができる素材が選ばれている。
【００２２】  また、背板部２の下端部には、左右に１つずつスマートフォン２０の底面部を下方から支持する支持部材１２が嵌合される孔部６が穿設されている。支持部材１２は、円柱型の金属部材であって、孔部６の径よりも大きい張り出し部分と孔部６の径よりも少しだけ小さいネジ切り部分とを有する前部側パーツと、前部側パーツのネジ切り部分に螺合する後部側パーツとからなり、背板部２に対して着脱可能に構成されている。
【００２３】  このように、背板部２の下端部に支持部材１２を別途設けることにより、図２（ｂ）に示すように、スマートフォン２０の載置位置が規定され、載置位置をユーザに迷わせなくてよくなる。また、下方からスマートフォン２０が支持されるため、スマートフォン専用スタンド１０において、スマートフォン２０から受ける荷重が分散され、落下防止にも繋がることになる。
【００２４】  また、背板部２の上端部には、ストラップ１４を取り付けるための取付部７が後方に突設されている。取付部７は、図２（ａ）に示すように、開口部が形成されており、この開口部にストラップ１４の一方端が引っ掛けられるように挿入された後に固定されるようになっている。
【００２５】  ストラップ１４は、伸縮自在なスプリング状に形成されており、他方端にスマートフォン２０のイヤホンジャック２１に嵌合されるプラグ１５が装着されている。プラグ１５は、図２（ｂ）に示すように、イヤホンジャック２１に挿入されると容易に抜け落ちないように径の比較的大きい部分が形成された周知の形状である。
【００２６】  このように、背板部２の上端部において後方に突設された取付部７にストラップ１４を別途取り付けておくと、ストラップ１４に装着されたプラグ１５をスマートフォン２０のイヤホンジャック２１に差し込むことにより、万が一、スマートフォン２０が吸着ラバー５から剥がれ落ちた場合であっても、落下時の衝撃を抑制することが可能となる。
【００２７】  また、底板部３の下側面には、図２（ａ）に示すように、設置面を固定可能な粘着マット８が取り付けられている。
なお、粘着マット８は、用途や設置面の状態に応じて使い分けることができる。例えば、振動がほとんどない場所に設置する場合には、繰り返し剥がして使用することが可能な素材（例えばスチレン樹脂等）からなるものを粘着マットとして採用し、車室内のダッシュボード上といった振動が比較的大きく、表面にわずかな凹凸がある場所に設置する場合には、両面テープ等の粘着力が比較的強いものを粘着マットとして採用することができる。
【００２８】  以上、説明したように、スマートフォン専用スタンド１０によれば、スマートフォン２０を載置する背板部２と、背板部２を支持する底板部３とが一体に形成されているため、部品点数を減らすことができ、これにより製造を容易にすることができる。
【００２９】  しかも、背板部２と底板部３との境界部分である湾曲部１１を折り曲げたり延ばしたりする方向にユーザが力を加えることで、背板部２と底板部３との角度が調節され、これにより所望の角度でユーザにスマートフォン２０を載置させることができる。
【００３０】  従って、スマートフォン専用スタンド１０によれば、部品点数を減らしつつ、使い勝手のより携帯用品スタンドを提供することができる。
また、スマートフォン専用スタンド１０によれば、本体板２３が厚さ１．０ｍｍのアルミニウムで形成されているため、適度の力によってユーザに背板部２と底板部３との角度を調節させることができ、なお且つ、例えば車両に設置した状態において、車両の振動による撓みを抑制することができる。
【００３１】  さらに、スマートフォン専用スタンド１０によれば、用途や設置面の状態に応じた粘着マット８によって底板部３が設置面に固定されるため、振動によるスマートフォン専用スタンド１０の転倒や落下などを抑制することができる。
【００３２】  以上、本考案の実施形態について説明したが、本考案は上記実施形態に限定されるものではなく、本考案の要旨を逸脱しない範囲において、様々な態様にて実施することが可能である。
【００３３】  例えば、本考案の一例として、スマートフォン２０を載置するためのスマートフォン専用スタンド１０について説明したが、本考案は、スマートフォン２０や携帯電話機などの携帯端末や、懐中時計や貴金属などの身の回り品を置いたり展示したりするための携帯用品スタンドとして容易に転用することができる。
【００３４】  また、本体板２３は、厚み１．０ｍｍのアルミニウムに限定されるものでなく、その厚みは、ユーザが力を加えることで角度が調整可能な厚みであればよく、可撓性素材に応じて設定することができる。
【００３５】  また、吸着ラバー５、粘着マット８、および支持部材１２等の素材は、それぞれの機能を果たすものであれば、上記実施形態に記載したものに限らず適宜採用することができる。
【符号の説明】
【００３６】  ２…背板部、３…底板部、５…吸着ラバー、６…孔部、７…取付部、８…粘着マット、１０…スマートフォン専用スタンド、１１…湾曲部、１２…支持部材、１４…ストラップ、１５…プラグ、２０…スマートフォン、２１…イヤホンジャック、２３…本体板。
【図１】
0003178323.tif 000003
【図２】
0003178323.tif 000004